(57)【要約】装置は、一体型画像取込構成要素を有するモバイルコンピューティングデバイスを受け入れるように構成されたレセプタクルからなる。さらに、装置は、各ハンドルがレセプタクルに操作可能に連結されるように、複数のハンドルを含む。他の装置は、一体型画像取込構成要素を有するモバイルコンピューティングデバイスを受け入れるように構成されたレセプタクルからなる。さらに、装置は、ハンドルがレセプタクルに操作可能に連結されるように一つのハンドルを含む。
2016511983.tif 000002
【特許請求の範囲】
【請求項１】
一体型画像取込構成要素を有するモバイルコンピューティングデバイスを受止めるように構成されたレセプタクルと、
各ハンドルが前記レセプタクルに操作可能に連結されるような複数のハンドルと、
を含む装置。
【請求項２】
前記レセプタクルおよび前記複数のハンドルを含む枠体をさらに含む請求項１に記載の装置。
【請求項３】
前記複数のハンドルのそれぞれは、前記レセプタクルに着脱可能である請求項１に記載の装置。
【請求項４】
前記複数のハンドルは、右ハンドルおよび左ハンドルからなる請求項１に記載の装置。
【請求項５】
前記複数のハンドルは、右ハンドルと、左ハンドルと、上部ハンドルとからなる請求項１に記載の装置。
【請求項６】
前記複数のハンドルは、右ハンドルと、左ハンドルと、下部ハンドルとからなる請求項１に記載の装置。
【請求項７】
前記複数のハンドルは、右ハンドルと、左ハンドルと、上部ハンドルと、下部ハンドルとからなる請求項１に記載の装置。
【請求項８】
前記モバイルコンピューティングデバイスを受止めるための受止め手段をさらに含む請求項１に記載の装置。
【請求項９】
付属デバイスを受止めるための受止め手段をさらに含む請求項１に記載の装置。
【請求項１０】
前記付属デバイスは、レンズ付属品である請求項９に記載の装置。
【請求項１１】
前記付属デバイスは、オーディオ付属品である請求項９に記載の装置。
【請求項１２】
前記付属デバイスは、三脚架である請求項９に記載の装置。
【請求項１３】
前記レセプタクルは、前記画像取込構成要素のレンズが位置決めされる開口部を有する請求項１に記載の装置。
【請求項１４】
前記開口部は、反射を最小限に抑えるように前記画像取込構成要素に実質的に近傍にある請求項１３に記載の装置。
【請求項１５】
前記モバイルコンピューティングデバイスは、タブレットデバイスおよびスマートフォンから成る群から選択される請求項１に記載の装置。
【請求項１６】
一体型画像取込構成要素を有するモバイルコンピューティングデバイスを受止めるように構成されたレセプタクルと、
ハンドルが前記レセプタクルに操作可能に連結されるようなハンドルと、
を含む装置。
【請求項１７】
前記レセプタクルおよび前記ハンドルを含む枠体をさらに含む請求項１６に記載の装置。
【請求項１８】
前記ハンドルは、前記レセプタクルに着脱可能である請求項１６に記載の装置。
【請求項１９】
前記モバイルコンピューティングデバイスを受止めるための受止め手段をさらに含む請求項１６に記載の装置。
【請求項２０】
付属デバイスを受止めるための受止め手段をさらに含む請求項１６に記載の装置。
【発明の詳細な説明】
【技術分野】
【０００１】
本開示は、概ね、画像取込の分野に関する。より詳細には、本開示は、画像取込コンピューティングデバイスのためのレセプタクルに関する。
【背景技術】
【０００２】
関連出願
本出願は、全体にわたる参照により本明細書の一部を構成する、２０１３年２月２５日、「Ａ  ＰＬＡＳＴＩＣ  ＣＡＳＥ  ＦＯＲ  ＴＨＥ  ＩＰＡＤ  ＭＩＮＩ  ＡＮＤ  ＩＰＡＤ．ＩＴ  ＨＡＳ  ＨＡＮＤＬＥＳ  ＯＮ  ＴＨＥ  ＳＩＤＥＳ，３  ＡＣＣＥＳＳＯＲＹ  ＳＨＯＥ  ＡＲＥＡＳ，Ａ  ＴＲＩＰＯＤ  ＭＯＵＮＴ，ＡＮＤ  ＴＨＥ  ＡＢＩＬＩＴＹ  ＴＯ  ＳＣＲＥＷ  ＯＮ  ３７  ＭＭ  ＬＥＮＳＥＳ．」という名称の米国仮特許出願、Ｎｏ．６１／７６８，７５１を基礎とする優先権を主張するものである。
【０００３】
現在のモバイルコンピューティングデバイス、例えば、タブレットデバイス、スマートフォンなどのものは、標準的なカメラなどの標準的な画像取込デバイスに匹敵する、例えば静止画または動画の画像取込機能をもたらす。依然として、そのようなモバイルコンピューティングデバイスによる画像品質は、標準的なカメラのそれよりも劣った品質であることが多い。標準的なカメラは、十分な安定した機能を使用者にもたらす。例えば、使用者が、標準的なカメラを両手でしっかりと保持でき、または、画像取込中に生じ得る動きを最小限に抑えるように、標準的なカメラを三脚に設置することができる。
【０００４】
対照的に、現在のモバイルコンピューティングデバイスは、標準的なカメラと同様な安定さをもたらさない。使用者は、しばしば、画像取込中、モバイルコンピューティングデバイスを安定的に維持することが困難である。モバイルコンピューティングデバイスは、しばしば、画像取込中、ぶれ、このことが結果的に、理想的な品質に満たないものであることが多い画像または映像をもたらす。
【０００５】
さらに、標準的なカメラは、写真家がレンズを交換したり付加的な構成要素を追加したりして視野条件および照明条件を変更することを可能にすることが多い。現在のモバイルコンピューティングデバイスは、そのような特徴をまったくもたらさない。使用者は、モバイルコンピューティングデバイス内に内蔵された画像取込機能に限定されることが多い。結果として、現在のモバイルコンピューティングデバイスは、限定された機能を写真家にもたらす。
【発明の概要】
【課題を解決するための手段】
【０００６】
本開示の１つの面では、装置が提供される。装置は、一体型画像取込構成要素を有するモバイルコンピューティングデバイスを受止めるように構成されたレセプタクルを含む。さらに、装置は、各ハンドルがレセプタクルに操作可能に連結されるような複数のハンドルを含む。
【０００７】
本開示の他の一面では、装置が提供される。装置は、一体型画像取込構成要素を有するモバイルコンピューティングデバイスを受止めるように構成されたレセプタクルを含む。さらに、装置は、ハンドルがレセプタクルに操作可能に連結されるようなハンドルを含む。
【０００８】
本開示の上述の特徴は、同一の参照番号が同一の要素を指す添付の図面と一緒に以下の説明に応じてより明らかになるであろう。
【図面の簡単な説明】
【０００９】
【図１】画像取込コンピューティングデバイスのレセプタクルの正面図である。
【図２】画像取込コンピューティングデバイスのレセプタクルの背面図である。
【図３】受止め手段の側面図である。
【図４】モバイルコンピューティングデバイスが画像取込コンピューティングデバイスのレセプタクルに固定された状態で、画像取込コンピューティングデバイスのレセプタクルを示す正面図である。
【図５】モバイルコンピューティングデバイスが下部ハンドルを有する画像取込コンピューティングデバイスレセプタクルに固定された状態で、画像取込コンピューティングデバイスレセプタクル１００を示す正面図である。
【図６】モバイルコンピューティングデバイスがハンドルとして右ハンドルのみを有する画像取込コンピューティングデバイスのレセプタクルに固定された状態で、コンピューティングデバイスレセプタクルを示す正面図である。
【図７】スマートフォンを受止めるように構成されている画像取込コンピューティングデバイスのレセプタクルの正面図である。
【図８】図７に示される画像取込コンピューティングデバイスのレセプタクルの背面図である。
【発明を実施するための形態】
【００１０】
画像取込コンピューティングデバイスのためのレセプタクルが、もたらされる。画像取込コンピューティングデバイスは、レセプタクルによって受止められる。それから、使用者が、レセプタクルを握り、画像を取込むための位置までレセプタクルを動かす。そのレセプタクルは、レセプタクルおよび画像取込コンピューティングデバイスの安定をもたらすハンドルを有する。その結果として、画像取込を行う使用者は、安定した状態で静止画像、および／または、ビデオ画像を取り込む機能を有する。ハンドルを有さない重いレセプタクルとは異なり、その画像取込コンピューティングデバイスのためのレセプタクルは、画像取込コンピューティングデバイスに関し安定をもたらす軽量構成をもたらす。
【００１１】
さらに、レセプタクルは、画像取込を行う使用者が、画像取込条件を変更可能にする付加的な構成要素を有することができる。例えば、レセプタクルは、視野条件を変更するために利用され得る種々のレンズを収容することができる。さらに、照明条件、および／または、音声条件を変更するように、様々な照明装備品、および／または、音声装備品がレセプタクルに位置決めされ得る。また、画像取込中、画像取込コンピューティングデバイスの動きを最小限に抑えるように、レセプタクルが三脚により安定せしめられ得るように、レセプタクルは、三脚構成要素を有することができる。
【００１２】
図１は、画像取込コンピューティングデバイスのレセプタクル１００の正面図を示す。１つの実施例では、画像取込コンピューティングデバイス１００は、複数のハンドル、例えば、右ハンドル１０２、および、左ハンドル１０４を含む。画像取込コンピューティングデバイスレセプタクル１００の正面は、写真家などの使用者により画像が取り込まれる場合、画像取込コンピューティングデバイス１００の正面にいる他の使用者の視点から示されている。右ハンドル１０２および左ハンドル１０４により、使用者が、最小限のぶれで画像取込を行うことを可能にする。その結果として、写真家は、画像取込コンピューティングデバイスレセプタクル１００がないときよりもより安定した正確さがある方が画像取込を行うことができる。右ハンドル１０２および左ハンドル１０４が示されているが、複数のハンドルは、他の配置、例えば、上部ハンドルおよび下部ハンドルであってもよい。さらに、単一のハンドル、または２つより多くのハンドルが、利用され得る。右ハンドル１０２および左ハンドル１０４は、単に例示目的のために設けられている。
【００１３】
また、画像取込コンピューティングデバイスレセプタクル１００は、開口部１０６を有する。開口部１０６は、画像取込構成要素、例えば、モバイル画像取込コンピューティングデバイスのレンズが、開口部１０６を通じて画像を取り込むために位置決めされ得るように、構成される。１つの実施例では、開口部１０６は、実質的に画像取込構成要素近傍にあるように構成される。例えば、その開口部は、反射を最小限に抑えるためにレンズ上方のみ位置決めされるのに十分に狭められ得る。
【００１４】
他の実施例では、画像取込コンピューティングデバイスレセプタクル１００は、複数の付属品の受止め手段を有する。一例として、画像取込コンピューティングデバイスレセプタクル１００は、受止め手段１０８、受止め手段１１０、受止め手段１１２、および受止め手段１１４を有する。様々な受止め手段が、例えば、ランプのような照明装置、例えば、マイクロホンといったオーディオ装置、例えば、広角レンズといった付加的なレンズ、三脚などのような付属品を受止めために利用され得る。例えば、受止め手段１１４は、三脚により画像取込コンピューティングデバイスレセプタクル１００にさらなる安定をもたらすように、三脚架を受止めることができる。単一のまたは様々な数の受止め手段が、図１に示されたものの中から利用され得る。
【００１５】
１つの実施例では、右ハンドル１０２および左ハンドル１０４は、画像取込コンピューティングデバイスレセプタクル１００と同じ枠体内に一体とされる。言い換えれば、単一の成形が、枠体およびハンドルのために利用され得る。代替的実施例では、右ハンドル１０２および左ハンドルは、枠体に着脱可能である。
【００１６】
図２は、画像取込コンピューティングデバイスレセプタクル１００の背面図を示す。背面図は、モバイルコンピューティングデバイスを画像取込コンピューティングデバイスレセプタクル１００内に配置する写真家の視点から見たものである。１つの実施例では、画像取込コンピューティングデバイスレセプタクル１００は、画像取込コンピューティングデバイスレセプタクル１００を受止めるための受止め手段を有する。受止め手段の一例は、リップ２０２である。リップ２０２は、枠体の全体にわたって、または、枠体のうちの少なくとも一部分に位置決めされ得る。それから、写真家は、モバイルコンピューティングデバイスをリップ内に嵌め、モバイルコンピューティングデバイスを画像取込コンピューティングデバイスレセプタクル１００内に固定することができる。その結果として、写真家は、モバイルコンピューティングデバイスを所定の位置に容易に嵌め込むことができる。リップは、受止め手段の一例にすぎない。また、その受止め手段は、ねじ、ボルト、釘、クリップなどのような締結手段であってもよい。
【００１７】
図３は、受止め手段２０２の側面図を示す。受止め手段２０２は、種々の他の受止め手段が利用され得るので、単に、例示目的のためにリップとして示されている。
【００１８】
図４は、モバイルコンピューティングデバイス４０２が画像取込コンピューティングデバイスレセプタクル１００に固定された状態で、画像取込コンピューティングデバイスレセプタクル１００の正面図を示す。モバイルコンピューティングデバイス４０２は、タブレットデバイス、スマートフォン、または他のいずれかの携帯機器であってもよい。さらに、モバイルコンピューティングデバイス４０２は、静止画像または動画像取込のための画像取込構成要素、例えば、内蔵カメラを有するものであってもよい。種々の付属品４０４、４０６および４０８が、受止め手段１０８、１１０および１１２に連結され得る。受止め手段１０８、１１０、および、１１２は、リップ、ねじ、ボルト、釘、クリップなどであってもよい。さらに、レンズ付属品４１２が、開口部１０６上方に位置決めされる。
【００１９】
フレームシングルフレーム（ｆｒａｍｅ  ｓｉｎｇｌｅ  ｆｒａｍｅ）が図４に示されているが、代替的に、複数の枠体は、モバイルコンピューティングデバイス４０２を固定するために利用され得る。言い換えれば、画像取込コンピューティングデバイスレセプタクル１００は、モバイルコンピューティングデバイス４０２を画像取込コンピューティングデバイスレセプタクル１００に固定するように、正面部および背面部のような複数の部品を含むことができる。したがって、画像取込コンピューティングデバイスレセプタクル１００は、複数の枠体が代替的に利用され得るので、単一の枠体に限定されない。
【００２０】
図１乃至図４は、２つのハンドルが示されているが、単一のハンドル、または、２つより多くのハンドルが利用され得る。図５は、モバイルコンピューティングデバイス４０２が下部ハンドル５０２を有する画像取込コンピューティングデバイスレセプタクル１００に固定された状態で、画像取込コンピューティングデバイスレセプタクル１００の正面図を示す。代替的に、右ハンドル１０２、左ハンドル１０４、および下部ハンドル５０２は、単一のハンドルと見なされ得る。さらに、図６は、モバイルコンピューティングデバイス４０２がハンドルとして左ハンドル１０４のみを有する画像取込コンピューティングデバイスレセプタクル１００に固定された状態で、画像取込コンピューティングデバイスレセプタクル１００の正面図を示す。
【００２１】
図４乃至図６は、タブレットデバイスとしてモバイルコンピューティングデバイス４０２を示すが、代替的に、スマートフォンが利用され得る。したがって、図７は、スマートフォンを受止めるように構成されている画像取込コンピューティングデバイスレセプタクル７００の正面図を示す。画像取込コンピューティングデバイスレセプタクル７００は、右ハンドル７０２および左ハンドル７０４を有する。画像取込コンピューティングデバイスレセプタクル７００は、また、開口部７０６を有する。図８は、図７に示された画像取込コンピューティングデバイスレセプタクル７００の背面図を示す。
【００２２】
様々な種類の材料が、画像取込コンピューティングデバイスレセプタクルに利用され得る。例えば、プラスチック、カーボナイト、金属などが、利用され得る。
【００２３】
本明細書において説明された装置は、他の形式の装置にも適用され得るものとする。当業者は、本明細書において説明された装置の実施例の様々な改造および変更が、本装置の範囲および趣旨から逸脱することなく構成され得ることを理解するであろう。したがって、添付の請求の範囲で本装置が本明細書において具体的に説明されたもの以外で実践され得るものである。
【図１】
2016511983.tif 000003
【図２】
2016511983.tif 000004
【図３】
2016511983.tif 000005
【図４】
2016511983.tif 000006
【図５】
2016511983.tif 000007
【図６】
2016511983.tif 000008
【図７】
2016511983.tif 000009
【図８】
2016511983.tif 000010
【国際調査報告】
2016511983.tif 000011